(57)【要約】【課題】各種情報を表示する表示部等に電力を供給するための電源部を備え、その電源部の内部に収納されたコイン型電池の着脱を容易に行うことが可能な浄水器１を提供する。【解決手段】有底中空形状のケース体３とケース体３に着脱自在に固定された蓋体４とから構成され、ケース体３及び蓋体４によって区画された密閉空間５に収納されたコイン型電池６から電力を供給することが可能な電源部２を備えた浄水器であって、電源部２を構成するケース体３が、その底面にコイン型電池６を位置決め可能な位置決め手段７を有するとともに、電源部２を構成する蓋体４が、ケース体３の位置決め手段７によって位置決めされたコイン型電池６をケース体３の底面側に押圧して保持可能な保持部８を有してなり、コイン型電池６がケース体３の位置決め手段７と蓋体４の保持部８とによって押圧、挟持された状態で密閉空間５に収納されてなる浄水器。【選択図】図２
2005058930.tif 000002
【特許請求の範囲】
【請求項１】
有底中空形状のケース体と前記ケース体に着脱自在に固定された蓋体とから構成され、前記ケース体及び前記蓋体によって区画された密閉空間に収納されたコイン型電池から電力を供給することが可能な電源部を備えた浄水器であって、
前記電源部を構成する前記ケース体が、その底面に前記コイン型電池を位置決め可能な位置決め手段を有するとともに、前記電源部を構成する前記蓋体が、前記ケース体の前記位置決め手段によって位置決めされた前記コイン型電池を前記ケース体の前記底面側に押圧して保持可能な保持部を有してなり、前記コイン型電池が前記ケース体の前記位置決め手段と前記蓋体の前記保持部とによって押圧、挟持された状態で前記密閉空間に収納されてなる浄水器。
【請求項２】
前記ケース体と前記蓋体とが、バヨネット機構によって固定されてなる請求項１に記載の浄水器。
【請求項３】
前記ケース体と前記蓋体とが、その間に、防水用のＯリングが配設された状態で固定されてなる請求項１又は２に記載の浄水器。
【請求項４】
前記位置決め手段が、複数の突起部又は突条部である請求項１〜３のいずれかに記載の浄水器。
【発明の詳細な説明】
【技術分野】
【０００１】
本発明は、浄水器に関する。さらに詳しくは、浄水器において必要な各種情報を表示する表示部等に電力を供給するための電源部を備えた浄水器に関する。
【背景技術】
【０００２】
近年、化学工業、食品工業等の分野におけるプロセス機器や水道水の家庭用の浄水器において、原液をその内部に透過させて除菌、濾過等の浄化を行うフィルタとして、セラミックス製膜や活性炭等のフィルタエレメントをケースに収納したフィルタカートリッジを用いたものが使用されている。
【０００３】
このような浄水器においては、例えば、フィルタカートリッジの交換時期を使用者に表示するための液晶パネルや発光ダイオード等を備えたものがあり、この場合、液晶パネルや発光ダイオードを駆動させるための電力源として、浄水器の小型化に伴ってコイン型電池等の小型の電池が用いられている。具体的には、例えば、浄水器の電池カバーとして、この内部に取り付けられたコイン型電池に指を引っかけて取り外すことが可能な切り欠きを設けた（以下「切り欠き構造」という）ものが開示されている（例えば、特許文献１参照）。
【０００４】
図５は、浄水器に使用されている電池収納ケース５０の分解斜視図である。この電池収納ケース５０は、切り欠き構造５１を有する電池カバー５２及び電池ホルダ５３を有し、電池カバー５２はバヨネット機構５４及びＯリング５５により電池ホルダ５３に取り外し可能に取り付けられるようになっている。コイン型の電池５６を取り付ける場合には、まずこの電池５６を電池カバー５２内に取り付けた後、この電池カバー５２を電池５６と共にバヨネット機構５４により電池ホルダ５３に装着するようになされている。
【０００５】
この電池カバー５０に装着された電池５６を交換する必要が生じた場合は、まず、この電池カバー５２を電池ホルダ５３からバヨネット機構５４により離脱させ、次に電池カバー５２の壁面に設けられた切り欠き構造５１の凹部から電池５６の外周側面の一部に直接指を引っかけて電池５６を取り出すものである。これによれば、電池５６の外周側面全体が電池５６の上部位置とほぼ同じ高さの壁面によって覆われている場合であっても、この電池５６の外周側面の一部に直接触れることができるため、ある程度電池５６の取出しが容易となる。
【特許文献１】特開２００３−１０８４０号公報
【発明の開示】
【発明が解決しようとする課題】
【０００６】
しかしながら、上記特許文献１に記載された切り欠き構造では、切り欠き構造の凹部から見える電池の外周側面に指を引っかけて電池を取り出そうとする場合、電池表面はステンレススチール等の金属でできているので表面が滑らかであるため、指が滑ってうまく取り出せないか、或いは、電池表面に指を引っかけることができた場合でも、すぐに引っかけた指が滑って外れてしまうことが多く、また、外れる瞬間に必要以上の圧力が加わり指ではずそうとする方向に電池が飛び出し、さらには、電池が床等に転げ落ちてしまうという問題点があった。
【０００７】
本発明は、上述の問題に鑑みてなされたもので、浄水器において必要な各種情報を表示する表示部等に電力を供給するための電源部を備え、その内部に収納されたコイン型電池の着脱を容易に行うことができる浄水器を提供することを目的とする。
【課題を解決するための手段】
【０００８】
本発明は、上述の課題を解決するべく、以下の浄水器を提供するものである。
【０００９】
［１］有底中空形状のケース体と前記ケース体に着脱自在に固定された蓋体とから構成され、前記ケース体及び前記蓋体によって区画された密閉空間に収納されたコイン型電池から電力を供給することが可能な電源部を備えた浄水器であって、前記電源部を構成する前記ケース体が、その底面に前記コイン型電池を位置決め可能な位置決め手段を有するとともに、前記電源部を構成する前記蓋体が、前記ケース体の前記位置決め手段によって位置決めされた前記コイン型電池を前記ケース体の前記底面側に押圧して保持可能な保持部を有してなり、前記コイン型電池が前記ケース体の前記位置決め手段と前記蓋体の前記保持部とによって押圧、挟持された状態で前記密閉空間に収納されてなる浄水器。
【００１０】
［２］前記ケース体と前記蓋体とが、バヨネット機構によって固定されてなる前記［１］に記載の浄水器。
【００１１】
［３］前記ケース体と前記蓋体とが、その間に、防水用のＯリングが配設された状態で固定されてなる前記［１］又は［２］に記載の浄水器。
【００１２】
［４］前記位置決め手段が、複数の突起部又は突条部である前記［１］〜［３］のいずれかに記載の浄水器。
【発明の効果】
【００１３】
本発明によれば、浄水器において必要な各種情報を表示する表示部等に電力を供給するための電源部を備え、その電源部の内部に収納されたコイン型電池の着脱を容易に行うことができる浄水器を提供することができる。
【発明を実施するための最良の形態】
【００１４】
以下、本発明の浄水器の実施の形態を、図面を参照しつつ具体的に説明する。
【００１５】
図１は、本発明の浄水器の一の実施の形態の構成を模式的に示す断面図であり、図２は、本実施の形態に用いられる電源部の底面に垂直な平面で切断した断面図であり、図３は、本実施の形態に用いられる電源部を構成するケース体の一例を示す平面図である。
【００１６】
図１に示すように、本実施の形態の浄水器１は、フィルタ２０と、外部ケース４０と、電源部２とを備えた浄水器１である。
【００１７】
本実施の形態の浄水器１を構成するフィルタ２０は、浄化すべき原液２１を浄化して浄化液２４として取り出すことが可能なものであればよく、従来公知の浄水器に用いられるフィルタを好適に用いることができる。特に、本実施の形態に用いられるフィルタ２０は、浄化すべき原液２１を有効に浄化することができるとともに、メンテナンスが容易であるものが好ましく、例えば、浄化すべき原液２１を取り入れる取り入れ口２２と、浄化すべき原液２１をその内部を透過させることによって浄化するフィルタ本体２３と、浄化液２４を取り出す取り出し口２５と、このフィルタ本体２３をその中に収納すべくフィルタ本体２３を囲繞するようにして配設された、原液取り入れ口２２及び浄化液取り出し口２５以外は密閉されたフィルタケース２６とを備えたフィルタカートリッジであることが好ましい（図１に示す浄水器１においては、フィルタ２０としてフィルタカートリッジを用いた場合を示す）。
【００１８】
また、本実施の形態の浄水器１を構成する外部ケース４０は、フィルタ２０及び電源部２をその内部に収納することが可能なものであれば特に限定されることはなく、例えば、フィルタ２０をその中に収納する収納室４１と、取り入れ口２２に連なる導入配管４２と、取り出し口２５から取り出された浄化液２４を外部に導出する導出配管４３と、を有する外部ケース４０を好適に用いることができる。
【００１９】
本実施の形態の浄水器１を構成する電源部２は、図１〜図３に示すように、有底中空形状のケース体３とケース体３に着脱自在に固定された蓋体４とから構成され、ケース体３及び蓋体４によって区画された密閉空間５に収納されたコイン型電池６から、浄水器１の電力消費する部分、例えば、浄水器１の各種情報を表示する表示部（図示せず）や浄化液の状態を測定する測定部（図示せず）に電力を供給することができるように構成されている。本実施の形態においては、電源部２を構成するケース体３が、その底面にコイン型電池６を位置決め可能な位置決め手段７を有するとともに、電源部２を構成する蓋体４が、ケース体３の位置決め手段７によって位置決めされたコイン型電池６をケース体３の底面側に押圧して保持可能な保持部８を有してなり、コイン型電池６が、ケース体３の位置決め手段７と蓋体４の保持部８とによって押圧、挟持された状態で密閉空間５に収納されてなるものである。
【００２０】
上述した位置決め手段７は、コイン型電池６を強固に固定することなく、その位置決めのみを行うために設けられており、コイン型電池６の外径の大きさと略同一又は微かに大きな領域で位置決めすることができるように構成されている。このように構成することによって、ケース体３の内部にコイン型電池６を収納する際に、コイン型電池６をケース体３の内部に入れるだけで、又は軽くコイン電池を指で動かす、もしくはコイン型電池６を入れたケース体３を左右に揺するだけで、位置決め手段７によってコイン型電池６が位置決めされる。このためコイン型電池６の表裏さえ間違えることなくケース体３に挿入することができれば、コイン型電池６が勝手に位置決めされる。そして、蓋体４をケース体３に固定することにより、蓋体４の保持部８が、位置決めされたコイン型電池６をケース体３の底面側に押圧して保持し、ケース体３及び蓋体４によって区画された密閉空間に収納することができる。また、コイン型電池６を電源部２から取り外す際には、蓋体４の固定を解除することにより、コイン型電池６はケース体３の内部に位置決め手段７のみによって単に位置決めされた状態となるために、コイン型電池６を指先でケース体３から押し出すだけで容易に取り外すことができ、電源部２からのコイン型電池６の着脱の際に大きな力を必要としない。このため、従来の浄水器に用いられる電源部のように、コイン型電池を取り外す際に必要以上の圧力が加わって電池が飛び出し、コイン型電池が床等に転げ落ちてしまうことを有効に防止することができる。
【００２１】
本実施の形態の浄水器１においては、上述した位置決め手段７は、コイン型電池６を位置決めすることができるものであれば、例えば、図３に示すように、コイン型電池６の外周の形状に対応して点在する、複数の突起部７ａであってもよく、図４に示すように、コイン型電池６の外周の形状に対応した形状の突条部７ｂであってもよい。また、図３においては、三つの突起部７ａが、コイン型電池６の外周の形状に対応して点在している例を示しているが、突起部７ａの数はこれに限定されることはない。このように構成することによって、図２〜図４に示すように、コイン型電池６を簡便に位置決めすることができるとともに、表裏を逆向きにケース体３に挿入したとしても、位置決め手段７（突起部７ａ，突条部７ｂ）が邪魔になり蓋体４を押しこむことができないために、コイン型電池６の挿入間違いを防止することができる。
【００２２】
図２に示すように、蓋体４の内側面は、コイン型電池６と遊嵌状態にあり、従来の電池収納ケースのように、蓋体４（電池カバー）にコイン型電池６が装着されていないため、コイン型電池６を取り外す際に、指が滑ってうまく取り外すことができないことや、コイン型電池６が飛び出して床等に転げ落ちてしまうことがない。この蓋体４の内側面とコイン型電池６との隙間の間隔は、特に限定されることはないが、０．２〜１．０ｍｍであることが好ましい。このように構成することによって、例えば、ケース体３にコイン型電池６を収納する際に、位置決め手段７の内側にコイン型電池６が正確に嵌っていなくても、蓋体４を押しこむことによってコイン型電池６のセンターリングが行われ、所定の位置に固定することができる。
【００２３】
なお、図１〜図３に示すように、本実施の形態の浄水器１においては、ケース体３と蓋体４とが着脱自在に固定されていれば、その固定方法等については特に限定されることはないが、複雑な機構を用いずに両者が固定されてなることが好ましく、例えば、ケース体３と蓋体４とが、バヨネット機構によって固定されてなることが好ましい。このように構成することによって、簡単かつ確実にケース体３と蓋体４とを固定することができる。
【００２４】
ケース体３及び蓋体４の材料としては、常温で固体であり電気絶縁性を有するものであれば特に制限はなく、例えば、ＡＢＳ樹脂、ＰＯＭ樹脂、ナイロン樹脂、ＰＰ樹脂及びＰＥ樹脂を好適例として挙げることができる。
【００２５】
このケース体３の内部には、少なくとも２つの端子１０（負極１０ａ及び正極１０ｂ）が配設され、それぞれがリード線（図示せず）によって、浄水器１の各種情報を表示する表示部（図示せず）や浄化液２４の状態を測定する測定部（図示せず）等に結線されており、コイン型電池６から表示部（図示せず）等に電力を供給することができるように構成されている。
【００２６】
ケース体３の内部に配設された端子１０の材料としては、常温で固体であり導電性を有するものであれば特に制限はなく、例えば、アルミニウム、チタン、クロム、鉄、コバルト、ニッケル、銅、亜鉛、ニオブ、モリブデン、ルテニウム、ロジウム、銀、錫、タンタル、タングステン、イリジウム、白金、金、鉛等を任意の組み合わせで含有する金属又は合金を挙げることができる。中でも、導電性の観点からは、白金、ロジウム、パラジウム等の白金族金属又はこれらを含有する銀−白金、白金−パラジウム等の合金を主成分とするものが好ましく、耐久性の観点からは銅、銀及び金が好ましい。
【００２７】
また、本実施の形態の浄水器１は、電源部２の内部に水が浸入することを防止するために、ケース体３と蓋体４とが、液密の状態で固定されてなることが好ましく、図１に示した浄水器１においては、ケース体３と蓋体４とが、その間に、防水用のＯリング１３が配設された状態で固定されている。通常、浄水器は、水の飛散し易い場所に設置されて用いられることから、電源部の液密性が十分でない場合は、その内部に水や水蒸気等が浸入し、電源部の内部に配設された金属部品やコイン型電池自体が錆びて故障の原因となる。また、電源部の表面から内部にかけて水が浸入した浄水器に触れると感電等の事故を引き起こすことがある。図１に示した浄水器１は、ケース体３と蓋体４とが、その間に、防水用のＯリング１３が配設された状態で固定されてなることから、電源部２の液密性に優れ、上述した故障や感電等の事故を有効に防止することができる。
【００２８】
このＯリング１３の材料としては、防水性に優れたものであることが好ましく、例えば、フッ素系樹脂、シリコンゴム、ニトリルゴム（ＮＢＲ）、エチレンプロピレンゴム（ＥＰＤＭ）等を好適例として挙げることができる。
【００２９】
また、蓋体４の、密閉空間５を構成する表面とは反対側の表面には、ケース体３から蓋体４を容易に離脱させるために、硬貨等を係止して回すための凹部１１を設けることも可能である。
【００３０】
また、本実施の形態の浄水器１に用いられるフィルタ２０を構成するフィルタ本体２３は、その端部３０側から浄化液２４を取り出す構造を有するものであってもよく、その外周壁３１側から浄化液２４を取り出す構造を有するものであってもよい。
【００３１】
このようなフィルタ本体２３としては、例えば、中空糸製、セラミックス製（その形状としては交互に目封じしたハニカム形状のものやモノリス型形状のもの等がある）、繊維状や粒状の活性炭製等を挙げることができる。中でも、耐熱性や耐食性に優れるセラミックスフィルタを備えたものを好適に用いることができる。また、セラミックスフィルタと活性炭とを組み合わせたものであってもよい。
【００３２】
また、フィルタ２０を構成するフィルタケース２６の材料としては、例えば、成形性が容易で、かつ、使用後の回収リサイクルが容易な、ＰＰ樹脂、ＡＢＳ樹脂及びＰＶＤＦ樹脂等の合成樹脂を挙げることができる。
【００３３】
また、外部ケース４０の材料としては、例えば、ステンレス等の金属、ＡＢＳ樹脂及びアクリル樹脂等のプラスチック等を挙げることができる。
【００３４】
なお、本実施の形態の浄水器１で浄化される原液２１としては特に制限はなく、例えば、水道水、化学工業、食品工業等で用いられる各種液体等を挙げることができる。
【００３５】
以下、本発明を実施例によってさらに具体的に説明するが、本発明は以下の実施例によっていかなる制限を受けるものではない。
【実施例】
【００３６】
フィルタと外部ケースと電源部とを備えた浄水器を製造した。本実施例においては、電源部を構成するケース体が、その底面にコイン型電池（ＣＲ２３５４）を位置決め可能な位置決め手段を有するとともに、電源部を構成する蓋体が、ケース体の位置決め手段によって位置決めされたコイン型電池をケース体の底面側に押圧して保持可能な保持部を有してなる浄水器を製造した。ケース体及び蓋体は、ＡＢＳ樹脂を用いて製作した。本実施例の浄水器においては、電源部を構成する位置決め手段が三つの突起部から形成されてなり、この三つの突起部によって形成される領域にコイン電池を位置決めすることができるように構成されている。
【００３７】
また、本実施例の浄水器は、蓋体とケース体とが、その間に、防水用のＯリングが配設された状態で、バヨネット機構によって固定することができるように構成されている。なお、浄水器を構成するフィルタはセラミックスフィルタを用いた。
【００３８】
本実施例の浄水器は、コイン型電池をケース体の内部に入れ、軽くコイン型電池を指で動かすことによってコイン型電池を簡単に位置決めすることができ、さらに、蓋体を固定することにより、ケース体の位置決め手段と蓋体の保持部とによって押圧、挟持された状態で密閉空間にコイン型電池を収納することができた。
【００３９】
また、従来の浄水器に用いられる電源部と比較して、コイン型電池の取り外しに力を必要とせず、簡便に電池交換を行うことができた。また、コイン型電池の表裏を逆向きに挿入すると、突起部が邪魔になりコイン型電池が位置決めされず、蓋体を押しこんで固定することができないために、コイン型電池の挿入間違いを防止することができた。また、ケース体に挿入したコイン型電池が突起部の内側に正確に嵌っていなくても、蓋体の内側面によってセンターリングが行われ、所定の位置に位置決めすることができた。
【産業上の利用可能性】
【００４０】
本発明の浄水器は、必要な各種情報を表示する表示部等に電力を供給するための電源部を備えており、化学工業、食品工業等の分野におけるプロセス機器や水道水の家庭用の浄水器として好適に用いることができる。
【図面の簡単な説明】
【００４１】
【図１】本発明の浄水器の一の実施の形態の構成を模式的に示す断面図である。
【図２】本発明の浄水器の一の実施の形態に用いられる電源部の、その底面に垂直な平面で切断した断面図である。
【図３】本発明の浄水器の一実施の形態に用いられる電源部を構成するケース体の一例を示す平面図である。
【図４】本発明の浄水器の一実施の形態に用いられる電源部を構成するケース体の他の例を示す平面図である。
【図５】従来の浄水器に使用されている電池収納ケースの分解斜視図である。
【符号の説明】
【００４２】
１…浄水器、２…電源部、３…ケース体、４…蓋体、５…密閉空間、６…コイン型電池、７…位置決め手段、７ａ…突起部、７ｂ…突条部、８…保持部、１０…端子、１０ａ…負極、１０ｂ…正極、１１…凹部、１３…Ｏリング、２０…フィルタ、２１…原液、２２…取り入れ口、２３…フィルタ本体、２４…浄化液、２５…取り出し口、２６…フィルタケース、３０…端部、３１…外周壁、４０…外部ケース、４１…収納室、４２…導入配管、４３…導出配管、５０…電池収納ケース、５１…切り欠き構造、５２…電池カバー、５３…電池ホルダ、５４…バヨネット機構、５５…Ｏリング、５６…電池。
【図１】
2005058930.tif 000003
【図２】
2005058930.tif 000004
【図３】
2005058930.tif 000005
【図４】
2005058930.tif 000006
【図５】
2005058930.tif 000007